(57)【要約】      （修正有）【課題】現場にて直ちに信号の内容が分かる車両用制御装置を提供する。【解決手段】車両用制御装置の筐体１の後部に設けられ、プリント基板３と電気的に接続するコネクタと、複数のプリント基板３の前面に設けられたフロントパネルと、フロントパネルの前面と接続される前面カバー１４とを有し、前面カバー１４には、プリント基板３に設けられたＬＥＤの信号名の名称とプリント基板３ユニットの名称と車両用制御装置のスイッチの設定の名称が表示されている。【選択図】図１
2005239035.tif 000002
【特許請求の範囲】
【請求項１】
鉄道車両に搭載される車両用制御装置において、
当該車両用制御装置の筐体の後部に設けられ、筐体内のプリント基板と電気的に接続するコネクタと、
前記プリント基板の前面に設けられたフロントパネルと、
前記フロントパネルの前面と接続される前面カバーとを有し、
前記前面カバーには、前記プリント基板に設けられたＬＥＤの信号名と前記プリント基板の名称と当該車両用制御装置の設定情報が表示されることを特徴とする車両用制御装置。
【請求項２】
鉄道車両に搭載される車両用制御装置において、
当該車両用制御装置の筐体の後部に設けられ、プリント基板と電気的に接続するコネクタと、
前記複数のプリント基板の前面と接続される前面カバーとを有し、
前記前面カバーには、前記プリント基板に設けられたＬＥＤの信号名と前記プリント基板の名称と当該車両用制御装置の設定情報が表示されることを特徴とする車両用制御装置。
【請求項３】
鉄道車両に搭載される車両用制御装置において、
当該車両用制御装置の筐体の後部に設けられ、プリント基板と電気的に接続するコネクタと、
前記フロントパネルの前面と接続される前面カバーとを有し、
前記前面カバーには、当該車両用制御装置に関する情報が表示されることを特徴とする車両用制御装置。
【発明の詳細な説明】
【技術分野】
【０００１】
本発明は、車両用制御装置に関する。
【背景技術】
【０００２】
近年、車両用制御装置においても、保全作業の効率化及び車両の運行管理面から安全重視による高性能化等が要求されており、この要求を確実に行うためマイコン制御が主流となり、重要な役割を果している。
【０００３】
従来の車両用制御装置について、図を参照し詳細に説明する。図２は車両用制御装置の正面図、図３は車両用制御装置の側面図である。
【０００４】
従来の車両用制御装置において、当該車両用制御装置の筐体内に設けられたプリント基板３のガイドレール９は、基板シャーシ１のガイドフレーム２に挿入される。プリント基板３のコネクタ１１は、車両制御装置の後部に取り付けられたバックボード１０に挿入されることにより電気的に接続されて制御を行う構造となっている。また、プリント基板３の前部は、フロントパネル５に固定された固定ブロック８に接続される。プリント基板３は、ガイドレール９に沿って挿入してバックボード１０のコネクタ１１に挿入接続される。プリント基板３の挿入後、フロントパネル５をガイドフレーム２に合わせ、ガイドフレーム２内に挿入されているタッププレート１２に、フロントパネル５に取り付けられている固定ねじ４をねじ止めして固定している。プリント基板３の抜き差しは、フロントパネル５に取り付けられたエジェクタハンドル１３にて行う構造となっている。さらに、プリント基板３の前面には、制御信号の動作表示を確認するための発光ダイオード（ＬＥＤ）７が取り付けられており、プリント基板３の種類ごとに、それぞれフロントパネル５を設け、このフロントパネル５に加工された発光ダイオード用の孔６を発光ダイオード（ＬＥＤ）７の数に合わせて設け、発光ダイオード（ＬＥＤ）７の表示（１,２,３等の数字やアルファベットを組み合わせている）を前方より確認する構造となっている。
【０００５】
このように構成された車両制御装置では、発光ダイオードの表示を確認することにより、機器の動作状態を確認できる。
【特許文献１】特開平１０−９８２８５号公報
【発明の開示】
【発明が解決しようとする課題】
【０００６】
しかし、従来の車両制御装置の構造では、発光ダイオード（ＬＥＤ）７の信号表示は数字やアルファベットにより信号名が表示されており、更に装置毎に異なるため、信号の意味の確認を行う際は、その都度、取扱説明書に記載する信号名対象表により照合しなければならなかった。
【０００７】
このように従来の車両制御装置の構造では、発光ダイオードの表示内容を取扱説明書により確認しなければならないこと等で作業効率が非常に悪いので、その改善が求められていた。
【０００８】
本発明の目的は、現場にて直ちに信号の内容が分る車両用制御装置を提供することにある。
【課題を解決するための手段】
【０００９】
上記目的は、鉄道車両に搭載される車両用制御装置において、当該車両用制御装置の筐体の後部に設けられ、筐体内のプリント基板と電気的に接続するコネクタと、前記プリント基板の前面に設けられたフロントパネルと、前記フロントパネルの前面と接続される前面カバーとを有し、前記前面カバーには、前記プリント基板に設けられたＬＥＤの信号名と前記プリント基板の名称と当該車両用制御装置の設定情報が表示により達成することが出来る。
【００１０】
上記目的は、鉄道車両に搭載される車両用制御装置において、当該車両用制御装置の筐体の後部に設けられ、プリント基板と電気的に接続するコネクタと、前記複数のプリント基板の前面と接続される前面カバーとを有し、前記前面カバーには、前記プリント基板に設けられたＬＥＤの信号名と前記プリント基板の名称と当該車両用制御装置の設定情報が表示されることによって達成することが出来る。
【００１１】
上記目的は、鉄道車両に搭載される車両用制御装置において、当該車両用制御装置の筐体の後部に設けられ、プリント基板と電気的に接続するコネクタと、前記フロントパネルの前面と接続される前面カバーとを有し、前記前面カバーには、当該車両用制御装置に関する情報が表示されることによって達成することが出来る。
【発明の効果】
【００１２】
本発明により、現場にて直ちに信号の内容が分る車両用制御装置を提供することができる。
【発明を実施するための最良の形態】
【００１３】
（第１の実施の形態）
本発明に基づく第１の実施の形態の車両用制御装置について、図を参照し詳細に説明する。図１は、本発明に基づく第１の実施の形態の車両用制御装置の正面図である。
【００１４】
本発明に基づく第１の実施の形態の車両用制御装置において、前面カバー１４は、フロントパネル５の前面と接続される。尚、前面カバー１４には、プリント基板ユニットの名称,ＬＥＤの信号名の名称,スイッチの設定の名称が表示されている。
【００１５】
このように構成された車両用制御装置において、前面カバー１４に、ＬＥＤの信号名の名称が表示されているため、機器の状態を一目で確認することが可能になる。また、前面カバー１４には、プリント基板３のユニットの名称が表示されているため、プリント基板３の取り外しの際にも、取り扱い説明書等を見ずに取り外し作業が出来、スイッチの設定の名称が表示されていることによって、誤作業を防止することが出来る。
【００１６】
このように構成された車両用制御装置において、複数のプリント基板３の前面に取り付けられたフロントパネル５の前面に、前面カバー１４を接続するため、不完全に接続されたプリント基板がある場合には、前面カバー１４の一部が浮いてしまい、取り付けることが出来ない。そのため、組み立て作業やメンテナンス作業の際に、誤作業を防止することが出来る。
【００１７】
このように構成された車両用制御装置は、発光ダイオード（ＬＥＤ）７の信号表示の意味や名称が表示されているので、そのメンテナンス,組み立て作業,試験の都度、取扱説明書に記載する信号名対象表により照合する必要がなくなり、作業効率も改善される。
【００１８】
このように構成された車両用制御装置は、従来の車両用制御装置を改良しても、同様の構成とすることが可能なため、ほとんど全ての車両用制御装置に適用することが可能となる。また、前面カバー１４を、フロントパネル５の前面に配置しているので、プリント基板３は、2重のカバーによって保護され、安全性が高くなる。
【００１９】
このように構成された車両用制御装置は、現場にて直ちに信号の内容が分る。
【００２０】
（第２の実施の形態）
本発明に基づく第２の実施の形態の車両用制御装置について、図１及び図２を参照し詳細に説明する。
【００２１】
本発明に基づく第２実施の形態の車両用制御装置において、前面カバー１４は、ガイドフレーム２内に挿入されているタッププレート１２に、固定ねじ４を介して固定される。尚、前面カバー１４には、プリント基板ユニットの名称,ＬＥＤの信号名の名称,スイッチの設定の名称が表示されている。本発明に基づく第２の実施の形態の車両用制御装置は、本発明の第１の実施の形態の車両用制御装置からフロントパネル５を取り除いた構成となっている。
【００２２】
このように構成された車両用制御装置において、前面カバー１４に、ＬＥＤの信号名の名称が表示されているため、機器の状態を一目で確認することが可能になる。また、前面カバー１４には、プリント基板３のユニットの名称が表示されているため、プリント基板３の取り外しの際にも、取り扱い説明書等を見ずに取り外し作業が出来、スイッチの設定の名称が表示されていることによって、誤作業を防止することが出来る。
【００２３】
このように構成された車両用制御装置において、不完全に接続されたプリント基板がある場合には、前面カバー１４の一部が浮いてしまい、取り付けることが出来ない。そのため、組み立て作業やメンテナンス作業の際に、誤作業を防止することが出来る。
【００２４】
このように構成された車両用制御装置は、発光ダイオード（ＬＥＤ）７の信号表示の意味や名称が表示されているので、そのメンテナンス,組み立て作業,試験の都度、取扱説明書に記載する信号名対象表により照合する必要がなくなり、作業効率も改善される。
【００２５】
このように構成された車両用制御装置は、現場にて直ちに信号の内容が分る。
【図面の簡単な説明】
【００２６】
【図１】本発明に基づく第１の実施の形態の車両用制御装置の正面図である。
【図２】従来の車両用制御装置の正面図である。
【図３】従来の車両用制御装置の側面図である。
【符号の説明】
【００２７】
１    基板シャーシ
２    ガイドフレーム
３    プリント基板
４    固定ねじ
５    フロントパネル
６    孔
７    ＬＥＤ
８    固定ブロック
９    ガイドレール
１０  バックボード
１１  コネクタ
１２  タッププレート
１３  エジェクタハンドル
１４  前面カバー
【図１】
2005239035.tif 000003
【図２】
2005239035.tif 000004
【図３】
2005239035.tif 000005